(57)【特許請求の範囲】
【請求項１】
トナー像形成手段により表面に形成されたトナー像を担持する第１の像担持手段と、
前記第１の像担持手段に担持されたトナー像が一括して転写され、転写された該トナー像を再び表面に担持する第２の像担持手段と、
前記第１の像担持手段に担持されているトナー像を転写材の一方の面に転写する第１の転写手段と、
前記第２の像担持手段に担持されているトナー像を前記転写材の他方の面に転写する第２の転写手段と、
前記転写材の両面に転写されたトナー像を定着する定着手段、とを有する画像形成装置であって、
原稿画像を光電変換により読みとって画像データを得る読取り手段と、
該読取り手段によって得られた画像データを記憶する画像データ記憶手段と、
該画像データ記憶手段から選択的に読み出された画像データに対して、表裏の出力形態に基づいて画像補正を施す画像補正処理手段と、を有し、
前記画像補正処理手段によってγ補正、色補正がされた画像データに基づき前記トナー像を形成することを特徴とする画像形成装置。
【請求項２】
トナー像形成手段により表面に形成されたトナー像を担持する第１の像担持手段と、
前記第１の像担持手段に担持されたトナー像が一括して転写され、転写された該トナー像を再び表面に担持する第２の像担持手段と、
前記第１の像担持手段に担持されているトナー像を転写材の一方の面に転写する第１の転写手段と、
前記第２の像担持手段に担持されているトナー像を前記転写材の他方の面に転写する第２の転写手段と、
前記転写材の両面に転写されたトナー像を定着する定着手段、とを有する画像形成装置であって、
原稿画像を光電変換により読みとって画像データを得る読取り手段と、
該読取り手段によって得られた画像データを記憶する画像データ記憶手段と、
該画像データ記憶手段から選択的に読み出された画像データに対して、表裏の出力形態に基づいて画像補正を施す画像補正処理手段と、を有し、
前記画像補正処理手段によってγ補正とフィルタ処理された画像データに基づき前記トナー像を形成することを特徴とする画像形成装置。
【請求項３】
前記画像補正は、表面画像と裏面画像とで条件が異なることを特徴とする請求項１または２に記載の画像形成装置。
【請求項４】
前記画像補正が、裏面画像に対するγ補正、フィルタ処理と濃度補正であることを特徴とする請求項１または２に記載の画像形成装置。
【請求項５】
前記画像形成装置は、前記読取り手段によって得られた画像データを処理する画像処理手段を有することを特徴とする請求項１または２に記載の画像形成装置。
【請求項６】
前記画像処理手段によって画像処理された画像データが前記画像データ記憶手段に記憶されることを特徴とする請求項５に記載の画像形成装置。
【請求項７】
前記画像処理手段が、
前記読取り手段で得られた画像データに基づいて原稿画像の種別を判定する画像判別手段と、
該画像判別手段による判別結果に応じて画像処理及び画像補正の特性を可変設定する処理特性可変手段と、
を含むことを特徴とする請求項５に記載の画像形成装置。
【請求項８】
前記画像データ記憶手段が、
前記画像処理手段で画像処理が施された画像データに対して一定の圧縮処理を施す圧縮処理手段と、前記画像データ記憶手段から選択的に読み出された画像データに一定の伸長処理を施す伸長処理手段と、を含むことを特徴とする請求項５に記載の画像形成装置。
【請求項９】
前記圧縮処理手段は、標準圧縮率モードと、該標準圧縮率モードに比して圧縮率を低下させて画質を優先させる画質優先モードと、前記標準圧縮率モードに比して圧縮率を増大させて記憶画像数を増大させる圧縮率優先モードとを有することを特徴とする請求項８に記載の画像形成装置。
【請求項１０】
前記圧縮処理手段は、圧縮率指定手段により圧縮率を指定され、当該圧縮率指定手段が、圧縮率の数値データを指定することを特徴とする請求項８に記載の画像形成装置。
【請求項１１】
前記標準圧縮率モード、画質優先モード及び圧縮率優先モードの中で、標準圧縮率モードが優先的に指定されることを特徴とする請求項８に記載の画像形成装置。
【請求項１２】
前記画像データ記憶手段が、画像処理手段で画像処理が施された画像データのみを記憶することを特徴とする請求項９に記載の画像形成装置。
【請求項１３】
前記画像形成装置は、画像判別手段を有し、
当該画像判別手段が、原稿画像を、文字画像部分と写真画像部分とに判別することを特徴とする請求項１に記載の画像形成装置。
【請求項１４】
転写材の両面に画像形成できる画像形成装置において、
画像データ入力手段を介して外部装置から入力した画像データを記憶できる画像データ記憶手段と、
該画像データ記憶手段から選択的に読み出された画像データに対して、表裏の出力形態に基づいて画像補正を施す画像補正処理手段と、を有し、
前記画像補正処理手段によってγ補正、色補正がされた画像データに基づきトナー像を形成することを特徴とする画像形成装置。
【請求項１５】
転写材の両面に画像形成できる画像形成装置において、
画像データ入力手段を介して外部装置から入力した画像データを記憶できる画像データ記憶手段と、
該画像データ記憶手段から選択的に読み出された画像データに対して、表裏の出力形態に基づいて画像補正を施す画像補正処理手段と、を有し、
前記画像補正処理手段によってγ補正とフィルタ処理された画像データに基づきトナー像を形成することを特徴とする画像形成装置。
【請求項１６】
前記画像補正は、表面画像と裏面画像とで条件が異なることを特徴とする請求項１４または１５に記載の画像形成装置。
【請求項１７】
前記画像補正が、裏面画像に対するγ補正、フィルタ処理と濃度補正であることを特徴とする請求項１４または１５に記載の画像形成装置。
【発明の詳細な説明】
【０００１】
【発明の属する技術分野】
本発明は画像形成装置に関し、詳しくは、原稿画像を光電変換により読み取り、該読み取りで得られた画像データを一旦記憶保持させてから選択的に読み出し、該読み出された画像データに基づいて両面画像形成を行える画像形成装置に関する。
【０００２】
【従来の技術】
従来から、原稿を光学走査して、その光学像をラインイメージセンサなどの光電変換素子で受光して電気信号に変換し、更に、この電気信号をディジタル化する一方、該ディジタル画像信号に変倍処理、フィルタ処理、γ補正処理などの各種画像処理を施した後、該画像処理が施された画像信号に基づいて変調されたレーザによって感光体上に静電潜像を形成するよう構成されたディジタル型複写機が知られている（特開昭６２−１５７０７０号公報等参照）。
【０００３】
ここで、前述のようなディジタル型複写機において、原稿となる画像は多種多様であり、代表的には文字画像、写真画像、文字・写真の混在画像などがある。そこで、読み取られた画像情報に対して各種の画像処理を施すに当たって、画像の種別を画像データから判定し、該判定結果に応じて画像の種別に応じた特性の画像処理を施すことが一般的に行われている。
【０００４】
また、通常の両面画像形成装置においては、転写材の一面にトナー像を固着する工程を繰り返して両面にトナー像を形成することから、プリント時の表／裏に対応した画像処理は表裏に関係なく同じであった。
【０００５】
【発明が解決しようとする課題】
ところで、本発明に関わるディジタル型両面複写機は転写材の両面にトナー像を形成後、一括定着するものであり、読取り、画像判別、画像処理、両面画像形成（プリント）からなる一連の動作は、リアルタイムに行わせるのが一般的であり、１つの原稿を複数枚コピーする場合には、同じ原稿をコピー枚数と同じ回数だけ読み取って、読取り動作毎に画像処理及びプリント動作を繰り返すようになっている。
【０００６】
従って、複数の原稿をそれぞれ複数枚コピーする場合であって、１つの原稿に対して１枚ずつコピーさせる場合には、読取り・プリントを終えた原稿を自動原稿搬送装置（ＡＤＦ）によって読取り部にリサイクルする方法が採られている。尚、前述のように原稿をリサイクルさせて１枚ずつコピーさせ、１組ずつ仕上げる方法は、一般にリサイクル・ドキュメント・ハンドラ（ＲＤＨ）と呼ばれている。
【０００７】
ここで、１つの原稿を複数枚コピーするときに、プリント動作をコピー枚数分だけ繰り返すことは避けられないが、同じ原稿画像をコピー毎に読み取ることは高速処理の妨げになり、特に、リサイクル・ドキュメント・ハンドラ（ＲＤＨ）を実行させる場合には、１回の読み取り動作毎に行われる原稿の搬送動作によってコピー作業に時間を要することになり、また、自動原稿搬送装置（ＡＤＦ）の構成も複雑化する。
【０００８】
一方、記憶回路の低コスト化が進み、画像データを記憶する記憶回路を備える複写機の実現が可能になってきており、読み取られた複数の原稿画像のデータを前記記憶回路に記憶させ、まとめて出力させるようにすれば、１つの原稿に対して読取り動作を繰り返す無駄を省略することができ、特に、複数の原稿をそれぞれ複数枚コピーする場合であって、１つの原稿に対して１枚ずつコピーさせたい場合に高速処理が可能となる。
【０００９】
しかしながら、前述のように、原稿の種別毎に異なる特性でフィルタ処理やγ補正を施すことが一般化しており、一方において、ファクシミリ装置などでは、データ伝送時における圧縮処理技術として、画像の種別毎にデータ圧縮方式や圧縮率を異ならせることが行われている。
【００１０】
またこの時、本発明に関わる両面画像形成装置では、転写材の表面と裏面とで転写回数が異なることから、表面と裏面とでプリント品質が異ならないように画像処理を行うことが必要となる。
【００１１】
このため、ディジタル型複写機に記憶回路を備え、かかる記憶回路に圧縮処理した画像データを記憶させる構成とする場合で、前記画像種別に応じた圧縮処理技術をそのまま適用したとすると、復元処理（伸長処理）若しくは読み出し後の画像処理のために、画像判別情報や、適用した圧縮方式の情報や、写真・文字の混在画像では画像内での分割情報などを画像データと共に記憶させる必要が生じ、画像記憶回路が複雑化してしまうという問題があった。
【００１２】
また、画像データを記憶回路に記憶させる場合には、画像圧縮処理を施すことが、記憶容量を有効利用するために必要になるが、使用者によっては、画質よりも記憶可能な原稿数の増大を望んだり、逆に、記憶できる枚数は少なくても高い画質が得られることを望む場合とがあり、かかる要求の違いに対応できる装置の提供が望まれていた。
【００１３】
更に、原稿サイズや記録紙のサイズに関わらず読取り画像領域を全て記憶対象領域とすると、記憶の必要のない余白部分や、実際には画像形成に供されない画像データを無駄に記憶することになり、記憶容量の無駄使いとなってしまうという問題があった。
【００１４】
また、ディジタル型複写機においては、外部装置から画像データを入力し、この画像データに基づいて画像形成を行う機能（一般的なプリンタとしての機能）を有するものがあるが、かかる機能を備える場合、外部装置から入力される画像データと複写機の画像形成部との間におけるタイミングを合わせるため、バッファメモリを備えるのが一般的である。しかしながら、上記のように画像データを記憶保持させておくための記憶回路の他に、同じように画像データを記憶させるためのバッファメモリを別途備える構成とすると、機能毎に別々の記憶回路を備えるために構成が複雑になるという問題がある。
【００１５】
また、ページ単位（画像単位）で記憶回路を区分構成すると、画像の読み出しは容易に行えるものの、有効利用されない記憶容量が生じてしまい無駄が多くなるという問題がある。また、例えばＡ４サイズの両面原稿の画像をＡ４サイズの片面に、あるいはＡ４サイズ片面原稿の画像をＡ４サイズの両面に、また例えばＡ４サイズの両面原稿の画像をＡ３サイズの片面に並べて複写させたい場合があり、前記記憶回路に複数原稿の画像データを記憶させる構成においては、表面と裏面との間での処理やＡ４サイズからＡ３サイズへの展開のような処理を容易に行えるようにすることが望まれる。すなわち記憶された画像データが表又は裏面に予め特定されていると入力形態と出力形態とを変更する時に支障を生じることとなる。
【００１６】
本発明は上記実情に鑑みなされたものであり、簡易な構成の記憶回路によって画像データを記憶させることができる画像形成装置の提供により、記憶回路を用いた高速処理を実現することを可能とする転写材の両面にトナー像を形成後一括して定着を行う画像形成装置を提供することを目的とする。
【００１７】
また、画像データを圧縮処理して記憶回路に記憶させるに当たって、圧縮度合いを任意に指定できるようにして、使用者による要求の違いに対応できるようにした、転写材の両面にトナー像を形成後一括して定着を行う画像形成装置を提供することを目的とする。
【００１８】
また、原稿以外の画像データや画像形成に供されない画像データの記憶を回避できるようにして、画像データを記憶させる記憶回路の有効利用を図るようにした、転写材の両面にトナー像を形成後一括して定着を行う画像形成装置を提供することを目的とする。
【００１９】
更に、外部装置から入力される画像データに基づいてリアルタイムの画像形成を行わせる場合に、タイミング合わせのための専用の記憶回路を備える必要を無くし、簡易な記憶回路で外部装置からの画像データの入力に対応できるようにした、転写材の両面にトナー像を形成後一括して定着を行う画像形成装置を提供することを目的とする。
【００２０】
また、記憶回路に画像データを連続的に記憶させる構成とし、然も、このようにして記憶させた画像データの選択的な読み出しを容易とし、例えばＡ４サイズの両面画像のＡ３サイズ片面への展開が簡便に行えるようにした、転写材の両面にトナー像を形成後一括して定着を行う画像形成装置を提供することを目的とする。
【００２１】
【課題を解決するための手段】
上記目的は、
トナー像形成手段により表面に形成されたトナー像を担持する第１の像担持手段と、前記第１の像担持手段に担持されたトナー像が一括して転写され、転写された該トナー像を再び表面に担持する第２の像担持手段と、前記第１の像担持手段に担持されているトナー像を転写材の一方の面に転写する第１の転写手段と、前記第２の像担持手段に担持されているトナー像を前記転写材の他方の面に転写する第２の転写手段と、前記転写材の両面に転写されたトナー像を定着する定着手段、とを有する画像形成装置であって、原稿画像を光電変換により読みとって画像データを得る読取り手段と、該読取り手段によって得られた画像データを記憶する画像データ記憶手段と、該画像データ記憶手段から選択的に読み出された画像データに対して、表裏の出力形態に基づいて画像補正を施す画像補正処理手段と、を有し、前記画像補正処理手段によってγ補正、色補正がされた画像データに基づき前記トナー像を形成することを特徴とする画像形成装置（請求項１の発明）、
トナー像形成手段により表面に形成されたトナー像を担持する第１の像担持手段と、前記第１の像担持手段に担持されたトナー像が一括して転写され、転写された該トナー像を再び表面に担持する第２の像担持手段と、前記第１の像担持手段に担持されているトナー像を転写材の一方の面に転写する第１の転写手段と、前記第２の像担持手段に担持されているトナー像を前記転写材の他方の面に転写する第２の転写手段と、前記転写材の両面に転写されたトナー像を定着する定着手段、とを有する画像形成装置であって、原稿画像を光電変換により読みとって画像データを得る読取り手段と、該読取り手段によって得られた画像データを記憶する画像データ記憶手段と、該画像データ記憶手段から選択的に読み出された画像データに対して、表裏の出力形態に基づいて画像補正を施す画像補正処理手段と、を有し、前記画像補正処理手段によってγ補正とフィルタ処理された画像データに基づき前記トナー像を形成することを特徴とする画像形成装置（請求項２の発明）、
転写材の両面に画像形成できる画像形成装置において、画像データ入力手段を介して外部装置から入力した画像データを記憶できる画像データ記憶手段と、該画像データ記憶手段から選択的に読み出された画像データに対して、表裏の出力形態に基づいて画像補正を施す画像補正処理手段と、を有し、前記画像補正処理手段によってγ補正、色補正がされた画像データに基づきトナー像を形成することを特徴とする画像形成装置（請求項１４の発明）、および、
転写材の両面に画像形成できる画像形成装置において、画像データ入力手段を介して外部装置から入力した画像データを記憶できる画像データ記憶手段と、該画像データ記憶手段から選択的に読み出された画像データに対して、表裏の出力形態に基づいて画像補正を施す画像補正処理手段と、を有し、前記画像補正処理手段によってγ補正とフィルタ処理された画像データに基づき前記トナー像を形成することを特徴とする画像形成装置（請求項１５の発明）により達成される。
【００２２】
【発明の実施の形態】
本発明の画像形成装置は、トナー像形成手段により表面に形成されたトナー像を担持する第１の像担持手段と、前記第１の像担持手段に担持されたトナー像が一括して転写され、転写された該トナー像を再び表面に担持する第２の像担持手段と、前記第１の像担持手段に担持されているトナー像を転写材の一方の面に転写する第１の転写手段と、前記第２の像担持手段に担持されているトナー像を前記転写材の他方の面に転写する第２の転写手段と、前記転写材の両面に転写されたトナー像を定着する定着手段とを有する画像形成手段と、を有した両面画像形成装置であって、読取り手段により原稿画像を光電変換して読み取って画像データを得る一方、この画像データに対して画像処理手段により所定の画像処理を施して最終出力状態の画像データを得る。そして、かかる画像処理が施された画像データが画像データ記憶手段に記憶され、画像形成手段は、前記画像データ記憶手段から選択的に読み出された画像データに基づいて画像形成を行う構成となっている。
【００２３】
かかる構成の画像処理装置によると、原稿画像を光電変換により読み取って得られた画像データに基づいて画像形成を行う装置において、画像処理が施されて最終出力状態となった画像データが画像データ記憶手段に記憶保持され、かかる記憶データの中から選択的に読み出された画像データに基づいて両面画像形成が行われる。即ち、リアルタイム処理では、画像形成手段にそのまま出力されることになる画像処理済みの画像データを、画像形成手段に出力される直前の状態で画像データ記憶手段に記憶保持させ、画像データを任意に読み出して表／裏面の出力形態に基づいて画像補正を施した後、画像形成手段に出力できるようにした。すなわち、画像データは表／裏面に適した形に随時補正されるので原稿の入力形態に対し、出力形態（両面から片面、片面から両面、丁合等）の変更に柔軟に対応できることとなった。
【００２４】
ここで、前記画像処理としては、原稿画像の種別に応じて特性が変更される画像処理を含ませることができ、画像処理済みの画像データを記憶させることから、画像種別に応じて最良の画像処理を施しつつ、画像データの記憶時に種別情報などの記憶を不要にできる。
【００２５】
また、原稿画像の種別に応じて画像処理特性を変更する場合には、原稿画像を文字画像と写真画像とに判別させる構成とすれば、文字画像と写真画像とでそれぞれに異なる画像処理要求に対応できる。
【００２６】
また、画像処理が施された画像データを記憶するための画像データ記憶手段には、画像データ以外の種別情報などを記憶させず、画像データのみを記憶させる構成とすれば、記憶手段の記憶容量を有効利用できる。
【００２７】
更に、画像データ記憶手段に対して画像データを圧縮処理して記憶させ、該記憶手段からの読み出し時に伸長処理する構成とすれば、記憶手段により多くの画像を記憶させることが可能となる。
【００２８】
一方、読み取られた画像データに圧縮処理を施して画像データ記憶手段に記憶させる構成において、前記圧縮処理における圧縮率を任意に指定できるよう構成し、使用者又は原稿画像によって異なる圧縮率要求に対応できるようにした。
【００２９】
上記のように圧縮率を指定させるに当たっては、標準圧縮率モードと、画質優先モードと、圧縮率優先モードとのいずれかを選択できるようにすることで、圧縮率の指定が画質を考慮しつつ容易に行えるようにした。
【００３０】
ここで、前記３つのモードのうち標準圧縮率モードが優先的に指定されるようにすれば、モード指定の操作性が良くなる。
【００３１】
また、圧縮率の指定は、前述のようなモード指定の他、圧縮率の数値データを指定させる構成としても良く、かかる構成によってより細かな圧縮率要求の違いに対応できるようになる。
【００３２】
上記のようにして指定された圧縮率に応じて圧縮処理した画像データを記憶させる構成において、記憶手段から読み出した画像データを伸長し、更に、該伸長処理された画像データに対し、表裏の出力形態に基づいて画像処理を行う。画像処理を行った画像データに基づいて画像形成を行う構成を備えるようにすれば、原稿画像を所期の圧縮率で圧縮された画像データとして保持しておき、後で選択的に読み出した画像データに基づいて両面或いは片面の画像形成が行える。
【００３３】
また、読み取った画像データを画像データ記憶手段に記憶させるに当たって、画像データから有効画像領域を検出し、該検出された有効画像領域の画像データのみを記憶させることで、読取り画像データ上での余白部分や画像形成に供されない部分などの不要データが記憶されることを回避し得る。
【００３４】
画像形成を行う記録紙サイズが確定している場合には、前記記録紙サイズをはみ出す原稿画像の部分は記憶しても無駄な部分で、前記記録紙サイズに対応する領域のみが有効画像領域となり、また、原稿画像のサイズが分かっている場合には、かかる原稿サイズを越えて読み取った部分は余白部分で、原稿サイズに対応する領域が有効画像領域となる。
【００３５】
有効画像領域の画像データのみを抽出させるときには、画像データの画素位置を示す座標データと、有効画像領域に対応する規定座標データとを比較して、当該画素位置が有効画像領域内であるか否かを判別させるようにする。
【００３６】
また、原稿画像を読み取って画像データを得る手段と共に、外部装置から画像データを入力するための手段を備え、然も、画像データを記憶保持させるための画像データ記憶手段を備える場合において、外部装置から入力される画像データに基づいてリアルタイムに画像形成を行わせる場合に、前記記憶手段に前記入力した画像データを一時的に記憶させ、該一時的な記憶によって外部からの画像データの入力と画像形成とのタイミング合わせを行えるようにし、画像データを記憶保持させるための画像データ記憶手段の他に、バッファメモリとして機能する記憶手段を別途備える必要を無くすことができるようにした。
【００３７】
ここで、記憶保持のために用いる記憶領域とバッファメモリとして用いる記憶領域とを共用させる構成とすれば、画像の記憶保持で空きとなっている部分をバッファメモリとして活用することができ、記憶領域の有効活用が行える。
【００３８】
また、画像データ記憶手段における各画像の記憶領域を示すデータを記憶するための手段を設け、画像データ記憶手段に対して連続的に画像データを記憶させると共に、前記記憶領域を示すデータの参照結果に基づいて画像データを読み出す構成とすれば、記憶領域を予め画像単位に区分しておく必要がなく記憶容量が有効利用され、然も、順番を入れ換えて読み出すことが容易に行える。
【００３９】
前記記憶領域を示すデータを、画像データ記憶手段における各画像の先頭アドレスとすれば、画像データ記憶手段からの画像データの読み出しが容易となる。また、前記記憶領域を示すデータに基づいて複数画像を連続的に読み出す構成とすることで、例えばＡ４両面原稿のＡ３原稿への展開が容易に行える。
【００４０】
以下に本発明の実施の形態の説明を行う。図１に示すのは両面画像形成を可能とするディジタル方式によるカラー画像形成装置におけるハードウェアの全体構成を示す図である。本発明は転写材両面にカラー画像形成を可能とする画像形成装置に限定するものではなく、両面画像形成を可能とする白黒ディジタル複写機であってもよい。
【００４１】
この図１において、カラー画像形成装置は、画像読取り部Ａ、画像処理部Ｂ（図示省略）、画像形成部Ｃで構成され、前記画像読取り部Ａが読取り手段に、画像処理部Ｂが画像処理手段に、また、前記画像形成部Ｃが画像形成手段に相当する。
【００４２】
画像読取り部Ａは原稿の両面に記録された画像読取りを可能とするもので、画像読取り部Ａにおいて、原稿６０は表面を下向きとして下側よりページ順に積層されていて、搬出ベルト５１とさばきローラ５２の作動により最下層の原稿Ｄが搬送路５３に向け搬出される。搬出された原稿６０は実線にて示す位置に付勢されているガイド板６１を排除して破線にて示す位置に退避させ、搬送ベルト５４を介して透明体のプラテンガラス５５上に給紙されて、裏面を下向きにした状態で原稿読取位置に一時停止される。
【００４３】
プラテンガラス５５上の原稿６０の裏面画像は、走査光学系を構成する照明ランプと第１ミラーから成る第１ミラーユニット５６と、Ｖ字状に位置した第２ミラーと第３ミラーから成る第２ミラーユニット５７の、第１ミラーユニット５６の速度Ｖによる読み取り動作と、第２ミラーユニットによる同方向への速度Ｖ／２による移動露光により読み取られて、投影レンズ６２とダイクロイックプリズム６３を通して３個のラインセンサである撮像素子ＣＣＤの受光面に結像される。色分離して撮像素子ＣＣＤ上に結像したライン状の光学像は順次電気信号（輝度信号）に光電変換される。
【００４４】
画像読取り部Ａでは裏面画像の読み取りが終了すると、原稿６０は搬送ベルト５４の一時的な逆回転により反転給紙路５８を経て表裏を反転し、再び搬送路５３を経て搬送ベルト５４を介してプラテンガラス５５上に給紙され、表面を下向きにした状態で原稿読取位置に一時停止される。
【００４５】
プラテンガラス５５上の原稿６０は表面画像を前記の走査光学系によって読み取られ、色分離して撮像素子ＣＣＤによって電気信号に光電変換される。
【００４６】
プラテンガラス５５上での画像の読み取りを終了した原稿６０は、搬送ベルト５４の作動により排紙ローラ５９を介してトレイ６４上に表面が下向きの状態で下側よりページ順に積み重なるように排紙される。
【００４７】
前記画像読取り部Ａで読み取られた原稿画像の画像信号（画像データ）は、後述する画像処理部Ｂにおいて、濃度変換、フィルタ処理、変倍処理、γ補正、表／裏画像の補正処理などの各種画像処理が施された後、画像形成部Ｃに出力される。
【００４８】
画像形成部Ｃは、電子写真技術を用いたレーザプリンタにより、入力された画像信号に応じて記録紙上に画像形成を行う。
【００４９】
画像形成部Ｃにおいて、第１の像担持体である感光体ドラム１０は、例えば、光学ガラスや透明アクリル樹脂の透明部材によって形成される円筒状の基体を内側に設け、透明の導電層、ａ−Ｓｉ層あるいは有機感光層（ＯＰＣ）等の感光層を該基体の外周に形成したものであり、接地された状態で図１の矢印で示す時計方向に回転される。
【００５０】
感光体ドラム１０は図２の側断面図に示す如く、それを係合固定する両面端のフランジ部材１０ａ及び１０ｂが装置本体に架設固定されるドラム軸１１０に対し両面端のフランジ部材１０ａ及び１０ｂに嵌込まれたベアリング１１０ａ，１１０ｂにより軸受けされて回転自在に支持され、フランジ部材１０ｂの一体とする歯車Ｇが装置本体側の駆動歯車と噛合して駆動されることにより所定の方向に定速で回転される。
【００５１】
帯電手段としてのスコロトロン帯電器１１はイエロー（Ｙ）、マゼンタ（Ｍ）、シアン（Ｃ）および黒色（Ｋ）の各色の画像形成プロセスに用いられ、像形成体である感光体ドラム１０の移動方向に対して直交する方向に感光体ドラム１０と対峙して取り付けられ、感光体ドラム１０の前述した有機感光層に対し所定の電位に保持された制御グリッドと、例えば鋸歯状電極からなる放電電極１１ａとを有し、トナーと同極性のコロナ放電によって帯電作用（本実施形態においてはマイナス帯電）を行い、感光体ドラム１０に対し一様な電位を与える。放電電極１１ａとしては、その他ワイヤ電極を用いることも可能である。
【００５２】
各色毎の像露光手段としての露光ユニット１２は、感光体ドラム１０上での露光位置が、スコロトロン帯電器１１の放電電極１１ａと現像器１３の現像位置との間に位置するように配置される。
【００５３】
露光ユニット１２は、感光体ドラム１０の軸１１０と平行に主走査方向に配列された像露光光発光素子としてのＬＥＤ（発光ダイオード）を複数個アレイ状に並べた線状の露光素子１２ａと、等倍結像素子としてのセルフォックレンズ１２ｂとが、不図示のホルダに取付けられた露光用ユニットとして構成される。保持部材２０に、各色毎の露光ユニット１２、一様露光器１２ｃ及び転写同時露光器１２ｄが取付けられて感光体ドラム１０の基体内部に収容される。画像読取り部Ａによって読み取られ、画像処理部Ｂで画像処理がなされた画像データは、各色毎の露光ユニット１２にそれぞれ電気信号として入力される。
【００５４】
露光素子としては、その他ＦＬ（蛍光体発光）、ＥＬ（エレクトロルミネッセンス）、ＰＬ（プラズマ放電）等の複数の発光素子をアレイ状に並べたものが用いられる。この実施形態で使用される発光素子の発光波長は、外部から像露光を行う際は通常Ｙ，Ｍ，Ｃのトナーの透過性の高い７８０〜９００ｎｍの範囲のものが用いられるが、裏面から像露光を行う方式であることからカラートナーに対して透光性を十分に有しないこれより短い４００〜７８０ｎｍの波長でもよい。
【００５５】
画像形成される色順序と、回転される感光体ドラムに、該色順序に従って設けられる現像器１３は、本実施形態においては、図１の感光体ドラム１０に対してＹ，Ｍの現像器１３が感光体ドラム１０の左側に、また、Ｃ，Ｋの現像器１３が感光体ドラム１０の右側に配置され、Ｙ，Ｍの現像器１３の現像ケーシング１３８の下方にＹ，Ｍのスコロトロン帯電器１１が、また、Ｃ，Ｋの現像器１３の現像ケーシング１３８の上方にＣ，Ｋのスコロトロン帯電器１１が配置される。
【００５６】
各色毎の現像手段としての現像器１３は、イエロー（Ｙ）、マゼンタ（Ｍ）、シアン（Ｃ）および黒色（Ｋ）の一成分あるいは二成分の現像剤をそれぞれ収容し、それぞれ感光体ドラム１０の周面に対し所定の間隙を保って、現像位置において感光体ドラム１０の回転方向と同方向に回転する例えば厚み０．５〜１ｍｍ、外径１５〜２５ｍｍの円筒状の非磁性のステンレスあるいはアルミ材で形成された現像スリーブ１３１を備えている。
【００５７】
現像器１３が不図示の突き当てコロにより感光体ドラム１０と所定の値の間隙、例えば１００〜１０００μｍをあけて非接触に保たれ、各色毎の現像器１３による現像作用に際しては、現像スリーブ１３１に対し直流電圧あるいはさらに交流電圧を加えた現像バイアスが印加され、現像器の収容する一成分或いは二成分現像剤によるジャンピング現像が行われて、負荷電の感光体ドラム１０に対してトナーと同極性（本実施形態においてはマイナス極性）の直流バイアスを印加して、露光部にトナーを付着させる非接触の反転現像が行われる。この時の現像間隔精度は画像ムラを防ぐために２０μｍ程度以下が必要である。
【００５８】
上記の各色毎の現像器１３は、前述したスコロトロン帯電器１１による帯電と露光ユニット１２による像露光によって形成される感光体ドラム１０上の静電潜像を、現像バイアスの印加による非接触現像法により非接触の状態で帯電極性と同極性のトナー（本実施形態においては感光体ドラムは負帯電であり、マイナス極性のトナー）を反転現像する。
【００５９】
画像記録のスタートにより不図示の感光体駆動モータの始動により駆動用の歯車を通して感光体ドラム１０の後フランジ１０ｂに設けられた歯車Ｇが回動され感光体ドラム１０を図１の矢印で示す時計方向へ回転し、同時に感光体ドラム１０の左方でイエロー（Ｙ）の現像器１３の現像ケーシング１３８の下方に配置されたＹのスコロトロン帯電器１１の帯電作用により感光体ドラム１０に電位の付与が開始される。
【００６０】
感光体ドラム１０は電位を付与されたあと、Ｙの露光ユニット１２において第１の色信号すなわちＹの画像データに対応する電気信号による露光が開始され、感光体ドラム１０の回転走査によってその表面の感光層に原稿画像のＹの画像に対応する静電潜像を形成する。
【００６１】
前記の潜像はＹの現像器１３により現像スリーブ上の現像剤が非接触の状態で反転現像され感光体ドラム１０の回転に応じイエロー（Ｙ）のトナー像が形成される。
【００６２】
次いで感光体ドラム１０は前記イエロー（Ｙ）のトナー像の上に、さらに感光体ドラム１０の左方、イエロー（Ｙ）の上部でマゼンタ（Ｍ）の現像器１３の現像ケーシング１３８の下方に配置されたマゼンタ（Ｍ）のスコロトロン帯電器１１の帯電作用により電位が付与され、Ｍの露光ユニット１２の第２の色信号すなわちＭの画像データに対応する電気信号による露光が行われ、Ｍの現像器１３による非接触の反転現像によって前記のイエロー（Ｙ）のトナー像の上にマゼンタ（Ｍ）のトナー像が重ね合わせて形成される。
【００６３】
同様のプロセスにより感光体ドラム１０の右方でシアン（Ｃ）の現像器１３の現像ケーシング１３８の上方に配置されたシアン（Ｃ）のスコロトロン帯電器１１、Ｃの露光ユニット１２およびＣの現像器１３によってさらに第３の色信号に対応するシアン（Ｃ）のトナー像が、また感光体ドラム１０の右方、Ｃの下部で黒色（Ｋ）の現像器１３の現像ケーシング１３８の上方に配置された黒色（Ｋ）のスコロトロン帯電器１１、露光ユニット１２および現像器１３によって第４の色信号に対応する黒色（Ｋ）のトナー像が順次重ね合わせて形成され、感光体ドラム１０の一回転以内にその周面上にカラーのトナー像が形成される（トナー像形成手段）。
【００６４】
これ等Ｙ，Ｍ，Ｃ及びＫの露光ユニット１２による感光体ドラム１０の有機感光層に対する露光はドラムの内部より前述した透明の基体を通して行われる。従って第２、第３および第４の色信号に対応する画像の露光は何れも先に形成されたトナー像の影響を全く受けることなく行われ、第１の色信号に対応する画像と同等の静電潜像を形成することが可能となる。
【００６５】
上記の画像形成プロセスによって像形成体としての感光体ドラム１０（像形成体）上に裏面画像となる重ね合わせカラートナー像が形成され、感光体ドラム１０上の裏面画像の重ね合わせカラートナー像が転写域１４ｂにおいて、トナーと反対極性（本実施形態においてはプラス極性）の直流電圧が印加される転写器１４ｃ（第１の転写手段）により、駆動ローラ１４ｄ及び従動ローラ１４ｅ間に張架され、感光体ドラム１０に近接あるいは接触して設けられた第２の像担持手段であるトナー像受像体１４ａ（中間転写体）上に一括して転写される。この際、良好な転写がなされるように、例えばＬＥＤ（発光ダイオード）を用いた転写同時露光器１２ｄによる一様露光が行われる。
【００６６】
転写後の感光体ドラム１０の周面上に残ったトナーは像形成体ＡＣ除電器１６により除電を受けた後、クリーニング装置１９にいたり、感光体ドラム１０に当接したゴム材から成るクリーニングブレード１９ａによってクリーニングされ、更に、前プリントまでの感光体の履歴をなくすために、例えばＬＥＤ（発光ダイオード）を用いた帯電前の一様露光器１２ｃによる露光による感光体周面の除電がなされ、前回プリント時の帯電が除去されて引き続き次の表面画像のカラー画像形成が行われる。
【００６７】
以上のようにしてトナー像受像体１４ａ上に裏面画像となる重ね合わせカラートナー像が形成された後、感光体ドラム１０上には引き続き表面画像となる重ね合わせトナー像が上記のカラー画像形成プロセスと同様にして形成される。このとき、トナー像受像体１４ａ上に形成されている裏面画像と感光体ドラム１０上に形成される表面画像とは転写域１４ｂにおける同期がとられ、図３に示すようなトナー像の形成状態となる。なお、この時に形成される表面画像は、感光体ドラム１０上では裏面画像形成とは互いに鏡像になる様に後に説明する画像処理部Ｂによって画像データの変更が行われる。
【００６８】
転写材である記録紙Ｐが転写材収納手段である各サイズ毎にストックされた給紙カセット１５Ａ、１５Ｂ、１５Ｃより、記録紙サイズの指示に従って対応した記録紙が送り出しローラ１５ａにより送り出され、給送ローラ１５ｂにより給送されてタイミングローラ１５ｃへ搬送される。
【００６９】
記録紙Ｐは、タイミングローラ１５ｃの駆動によって、感光体ドラム１０上に担持された表面画像のカラートナー像と、トナー像受像体１４ａに担持されている裏面画像のカラートナー像と、の同期がとられて転写域１４ｂへ給送される。この際、記録紙Ｐは、転写材帯電手段としての紙帯電器１４ｆによりトナーと同極性に紙帯電され、トナー像受像体１４ａに吸着されて転写域１４ｂへ給送される。トナーと同極性に紙帯電を行うことにより、記録紙Ｐが転写部以外でトナー像受像体１４ａ上のトナー像や感光体ドラム１０上のトナー像と引き合うことを防止して、トナー像の乱れを防止している。また、転写材帯電手段としては、トナー像受像体１４ａに当接及び当接解除可能な導通ローラやブラシ帯電器等を用いることも可能である。
【００７０】
トナーと反対極性（本実施形態においてはプラス極性）の電圧が印加される第１の転写手段としての転写器１４ｃにより感光体ドラム１０の周面上の表面画像が一括して記録紙Ｐの上面側（表面側）に転写される。この際、トナー像受像体１４ａの周面上の裏面画像は記録紙Ｐに転写されないでトナー像受像体１４ａに存在する。次に、トナーと反対極性（本実施形態においてはプラス極性）の電圧を印加した第２の転写手段としての裏面転写器１４ｇによりトナー像受像体１４ａの周面上の裏面画像を一括して記録紙Ｐの下面側（裏面側）に転写する。転写器１４ｃによる転写の際、良好な転写がなされるように、転写器１４ｃと対向して感光体ドラム１０の内部に設けられた、例えばＬＥＤ（発光ダイオード）を用いた転写同時露光器１２ｄによる一様露光が行われる。
【００７１】
各色のトナー像は互いに重なり合うことから、一括転写を可能とするにはトナー層の上層と下層のトナーとが同様の帯電量で同一極性に帯電していることが好ましい。このことから、トナー像受像体１４ａ上に形成したカラートナー像をコロナ帯電により極性反転を行ったり、感光体ドラム１０上に形成したカラートナー像をコロナ帯電により極性反転を行う両面画像形成では、下層のトナーが同極性に十分帯電されないことから、転写が不良となるので好ましくない。
【００７２】
感光体ドラム１０上で反転現像を繰り返し、重ね合わせて形成した同極性のカラートナー像を極性を変えずにトナー像受像体１４ａに一括転写し、次に、極性を変えずに記録紙Ｐに一括転写することが、裏面画像形成の転写性の向上に寄与するので好ましい。表面画像形成に対しても、感光体ドラム１０上に反転現像を繰り返し、重ね合わせて形成した同極性のカラートナー像を極性を変えずに記録紙Ｐに一括転写することが、表面画像形成の転写性の向上に寄与するので好ましい。
【００７３】
以上のことからカラー画像形成においては、上記の表面や裏面の画像形成法を用いて、第１の転写手段を動作させて転写材の表面にカラートナー像を形成し、次に、第２の転写手段を動作させて転写材の裏面にカラートナー像を形成する両面画像形成法が好ましく採用される。
【００７４】
トナー像受像体１４ａは厚さ０．５〜２．０ｍｍの無端状のゴムベルトで、シリコンゴム或いはウレタンゴムの１０8〜１０14Ω・ｃｍの抵抗値をもつ半導電性基体と、ゴムの基体の外側にトナーフィルミング防止層として厚さ５〜５０μｍのフッ素コーティングを行った２層構成とされる。この層も同様な半導電性が好ましい。ゴムベルト基体の代わりに厚さ０．１〜０．５ｍｍの半導電性のポリエステルやポリスチレン、ポリエチレン、ポリエチレンテレフタレート、ポリイミド等を使用することもできる。
【００７５】
両面にカラートナー像が形成された記録紙Ｐが、転写材分離用としての紙分離ＡＣ除電器１４ｈ（以後分離極ともいう）により除電され、トナー像受像体１４ａから分離され、両方のローラの内部にヒータを有する２本のローラで構成される定着手段としての定着装置１７へと搬送される。定着ローラ１７ａと、圧着ローラ１７ｂとの間で熱と圧力とを加えられることにより記録紙Ｐ上の表裏の付着トナーが定着され、両面画像記録がなされた記録紙Ｐが排紙ローラ１８により送られて、装置外部のトレイへ排出される。
【００７６】
転写後のトナー像受像体１４ａの周面上に残ったトナーは、トナー像受像体のクリーニング手段としてのトナー像受像体クリーニング装置１４ｉに設けられトナー像受像体１４ａに当接及び当接解除可能なブレードによりクリーニングされる。また、転写後の感光体ドラム１０の周面上に残ったトナーは像形成体ＡＣ除電器１６により除電を受けた後、クリーニング装置１９にいたり、感光体ドラム１０に当接したゴム材から成るクリーニングブレード１９ａによってクリーニング装置１９内に掻き落とされ、次の画像形成の待機がなされる。
【００７７】
ここで、前記画像読取り部Ａ、画像処理部Ｂ、画像形成部Ｃからなる上記のカラー画像形成装置の回路構成を、図４のブロック図に従って説明する。
【００７８】
まず、画像読取り部Ａにおいて、前記の撮像素子ＣＣＤから出力される色分離した３色のアナログ画像信号は、Ａ／Ｄ変換器Ｂ１１によってディジタル画像信号（画像データ）に変換されて、インターフェースＢ１２を介して画像処理部Ｂに出力される。
【００７９】
画像処理部Ｂに入力されたディジタル画像信号（輝度情報）は、まず、濃度変換部Ｂ１３によって濃度情報に変換される。
【００８０】
そして、使用者の変倍指定に従った変倍処理が、拡大・縮小処理部Ｂ１４で行われる。また、画像判別処理部Ｂ１５においては、前記濃度変換部Ｂ１３で変換された濃度情報に基づいて文字画・写真画の判別を行い、該判別結果に基づいてフィルタ処理部Ｂ１６におけるフィルタ特性を設定し、フィルタ処理部Ｂ１６では、前記設定に従って空間フィルタ処理を行う。
【００８１】
尚、前記画像判別処理部Ｂ１５が、本実施例における画像判別手段及び処理特性可変手段に相当し、文字画・写真画の判別は文字画と写真画との混在画像における文字画像領域、写真画像領域の判別を含むものとする。
【００８２】
ここで、拡大・縮小の指定に応じて、フィルタ処理と変倍処理とを入れ換えて行わせるために、一対のデータセレクタＢ１７，Ｂ１８が設けられている。前記フィルタ処理と変倍処理との入れ換えは、縮小処理時の画像に見られる網点画のモアレを防止するために行われる。
【００８３】
一方、ＥＥ処理部Ｂ１９は、本スキャン前のプリスキャンで得られた画像情報から原稿画像の特徴を得るために、ヒストグラムデータを得る。そして、図示しない画像処理系のＣＰＵは、前記ヒストグラムデータに基づいて適正なγ補正データをγ補正処理部Ｂ２０に提供する。
【００８４】
フィルタ処理・変倍処理が施された画像データ（濃度情報）は、前記γ補正処理部Ｂ２０で後述する画像形成装置Ｂ２５の特性に応じたγ補正処理が施された後、画像領域処理部Ｂ２１に出力される。前記画像領域処理部Ｂ２１では、原稿の有効画像領域の抽出の他、枠消し、折り目消しなどの領域加工も行う。
【００８５】
上記のようにして画像形成に必要な全ての画像処理が施され、後述する画像形成装置Ｂ２５への最終出力状態となった画像データ（濃度情報）は、インターフェイスＢ２２を介して画像形成部Ｃに出力される。
【００８６】
画像形成部Ｃにおいては、原稿の読取りに対してリアルタイムに記録紙上への画像形成を行う機能と共に、入力された画像データを複数記憶保持しておき、該記憶された画像データを後から任意に読み出すデータセレクタＢ９１と、表／裏に対応して画像補正を行う画像補正処理Ｂ９２と、補正された画像データより画像形成を行わせる機能を有している。
【００８７】
ここで、本実施例では、上記のように原稿画像を読み取って得られ、然も、必要な画像処理が全て施された画像データを保存しておき、該保存された画像データを後から選択的に読み出して画像形成を行わせる機能を電子ＲＤＨ機能と称するものとする。
【００８８】
画像形成部Ｃには、レーザプリンタなどである画像形成装置Ｂ２５の他に、前記電子ＲＤＨ機能を実現するため、画像データを書き換え可能に記憶する画像記憶部Ｂ２３（画像データ記憶手段）が設けられる一方、前記電子ＲＤＨ機能と通常のリアルタイム画像形成機能とを切り換えかつ表面及び裏面の画像データの割り振りを行うためのデータセレクタＢ９１と表／裏に対応した画像補正を行う画像補正処理Ｂ９２とが設けられている。
【００８９】
前記データセレクタＢ９１は、画像記憶部Ｂ２３から読み出された画像データと、画像処理部Ｂから読取りに応じて逐次出力される画像データとのいずれか一方を選択的に画像形成装置（レーザプリンタ）Ｂ２５に出力するものである。
【００９０】
即ち、前記画像記憶部Ｂ２３には、通常にリアルタイム処理を行わせるときと同じ最終出力状態の画像データが記憶され、前記データセレクタＢ９１によって選択的に出力される画像処理部Ｂからの画像データと画像記憶部Ｂ２３から読み出した画像データとは、画像形成装置Ｂ２５において同等に扱われて画像形成が行えるようになっている。
【００９１】
図５はデータセレクタＢ９１と画像補正処理Ｂ９２の詳細を示すブロック図である。データセレクタＢ９１内には表面出力用メモリＢ９１２と裏面出力用メモリＢ９１３が設けられていて、両面画像形成モードが選択されて、図示しない制御部から画像出力の指示がなされると、セレクタ（Ｉ）Ｂ９１１では画像記憶部Ｂ２３から出力される画像データは先ず表面出力用メモリＢ９１２へ入力され、ついで裏面出力用メモリＢ９１３に入力される。裏面出力用メモリＢ９１３に入力される際は画像データは鏡像となるよう反転された形での入力がなされる。
【００９２】
画像形成装置Ｂ２５での両面画像形成のタイミングに合わせて、セレクタ（II）Ｂ９１４によって先ず裏面出力用メモリＢ９１３からの裏面画像データが画像補正処理Ｂ９２に出力され、ついで表面出力用メモリＢ９１２からの表面画像データが画像補正処理Ｂ９２に出力される。画像補正処理Ｂ９２では表面と裏面とでそれぞれ異なった条件による画像補正が行われる。次に画像補正処理Ｂ９２について説明する。
【００９３】
本発明の画像形成装置では、裏面画像は像担持体からトナー像受像体への転写及びトナー像受像体から記録紙への２回の転写が行われる。一方、表面画像は像担持体から記録紙への１回の転写が行われる。これらの転写に際しては１回に１０％程度のトナー付着量が低下することにより、同条件で画像処理を行うときは表面画像に比べ裏面画像は画像濃度が低くなる。また裏面画像では２回の転写によるトナー像の散りにより階調性が変化する。網点画像の場合には網点が広がり一般にγが高くなる傾向にある。またカラー画像では図６に示すようにトナー像の重なり合わせ順が記録紙上で反転しているので色調が変化する。Ｙ，Ｍ，Ｃ３色の混合比からＵＣＲ量が求められるが、裏面画像にあってはＫが最上層となり黒色（Ｋ）が強調されすぎる傾向があるので、表面画像と裏面画像とでは色再現に当たってＵＣＲ量を変化させることが必要となる。
【００９４】
本発明においては色処理Ｂ９２１において、マスキング部でマスキング・墨入れ・ＵＣＲ等の色処理を含んで行われる。マスキングとしては一般に行われる線形マスキング或いは高度な色補正を行う際には非線形マスキングやルックアップテーブルを用いたマスキングが用いられる。この色補正のためのマスキング用のパラメータは表面画像と裏面画像に対してそれぞれ予め設定しておき、表面か裏面かに応じてパラメータの設定変更が行われる。このような色処理Ｂ９２１とγ変換及びフィルタ処理Ｂ９２２が行われスクリーン角、ディザや誤差拡散等の多値化処理Ｂ９２３を経てＹ，Ｍ，Ｃ，Ｋ各色の露光ユニット１２への出力が行われる。このような画像補正処理Ｂ９２が行われて、画像濃度や色調が整った両面画像の形成が行われる。裏面画像は２回の転写工程を行うことから、γが裏面画像に対し高くなり易く、解像度も低下しやすい。これを補正する機能を有する。
【００９５】
なお、モノクロ画像の時は色補正は不要であるし、裏面画像に対してのみγ補正、フィルタ処理と濃度補正を行えばよく、黒の最大濃度が飽和画像濃度であれば、γ補正とフィルタ処理のみについてパラメータの設定変更を行えば表裏での差異の認められない両面画像が得られることとなる。
【００９６】
また上記説明においては画像データの鏡像変換処理はデータセレクタＢ９１において行う構成となっているが、鏡像変換処理を画像補正処理Ｂ９２における表面か裏面かに応じて設定変更するパラメータの中に含めた回路構成とすることも可能である。
【００９７】
次に図７に従って前記画像記憶部Ｂ２３の詳細な構成を説明する。
【００９８】
図７に示すように、画像記憶部Ｂ２３には、実際に画像データを記憶するための記憶回路Ｂ２６（画像データ記憶手段）の他に、画像処理部Ｂで画像処理が施された画像データを圧縮処理して前記記憶回路Ｂ２６に記憶させるための圧縮処理部Ｂ２７（圧縮処理手段）、記憶回路Ｂ２６から読み出した画像データを伸長処理して画像処理部Ｂにおける出力状態の画像データに復元するための伸長処理部Ｂ２８（伸長処理手段）、更に、記憶回路Ｂ２６への画像データの書き込み（記憶）及び記憶回路Ｂ２６からの画像データの読み出しを制御するために、書き込み制御回路Ｂ２９、読み出し制御回路Ｂ３０が設けられている。
【００９９】
前記画像処理部Ｂからは、処理済みの画像データのみが出力され、前記圧縮処理部Ｂ２７では、一定の圧縮圧縮方式を用いて前記画像データに圧縮処理を施し、この圧縮処理が施された画像データのみが前記記憶回路Ｂ２６に記憶される。そして、記憶回路Ｂ２６から読み出された画像データは、伸長処理部Ｂ２８において前記圧縮処理部Ｂ２７における圧縮処理に対応する一定の伸長処理が施され、画像処理部Ｂの出力時における状態の画像データに復元される。
【０１００】
尚、前記図７に示した記憶回路Ｂ２６はページ単位に区分構成され、Ａ４原稿サイズを単位として画像データが記憶されるようになっており、Ａ４両面原稿を３０枚記憶できるだけの容量を備えている。そして、かかる記憶回路Ｂ２６からは、順番を入れ換えての読み出しが可能であり、また、任意に選択された複数の画像データを連続して読み出すことも可能で、例えば両面画像用の表面及び裏面の画像データを読み出したり、Ａ４サイズ原稿の連続的に２枚読み出してＡ３サイズに展開して出力することも可能となっている。
【０１０１】
ところで、原稿画像は、図８（ａ），（ｂ），（ｃ）に示すように、写真原稿（原稿例Ａ）、写真と文字との混在原稿（原稿例Ｂ）、文字原稿（原稿例Ｃ）の３つに大別される。そして、かかる画像をそれぞれに文字部と写真部とに領域分けすると、図９（ａ），（ｂ），（ｃ）に示すようになり、かかる区分に従って、それぞれに異なる画像処理特性を設定することが望まれる。従って、本実施例においても、画像判別処理部Ｂ１５において文字画・写真画の判別を行いフィルタ処理の特性を変化させている。
【０１０２】
一方、本実施例では、画像判別結果に応じて特性を変化させる画像処理を含め画像形成装置Ｂ２５に出力する段階で処理済みであることが要求される画像処理を全て終了した画像データ、換言すれば、表／裏用の画像補正処理がデータセレクタＢ９１と画像補正処理Ｂ９２によって処理されて画像形成装置Ｂ２５に出力される直前の画像データを、前記画像記憶部Ｂ２３に記憶させる構成としている。
【０１０３】
従って、本実施例によると、画像記憶部Ｂ２３に画像データを記憶させるときに、原稿の表／裏情報や、画像の判別情報（区分情報）や、必要とされる後処理を示すデータなどを画像データと共に記憶させる必要がなく、画像データのみを記憶させれば良い。このため、前記図８（ａ），（ｂ），（ｃ）に示すような多種多様な原稿を読み取らせる構成であっても、画像に応じた特別な記憶回路を備える必要がなく、簡素な構成の記憶回路を構成でき、然も、記憶容量を画像データの記憶のみに用いることができ、限られた記憶容量に多くの画像を記憶させることが可能である。また、表／裏の画像出力形態の変更にも容易に対応することができる。
【０１０４】
更に、画像判別結果に応じた画像処理が既に施されているから、適切な圧縮率で一定の圧縮処理を全画像領域に施すことができ、かかる圧縮処理においても画像判別情報などを付加したり、画像判別による区分毎に画像データを記憶させるなどの処理を行わせる必要がなく、画像データのみを原稿毎に一括して記憶させることができる。従って、記憶させた画像データの読み出し及び伸長処理を、簡易かつ高速に行わせることができる。
【０１０５】
また、画像記憶部Ｂ２３に画像データを記憶保持させておく電子ＲＤＨ機能により、同じ原稿を複数枚複写するときに画像形成毎に画像読取り及び画像処理を行わせる必要がなく、複写作業の効率化が図られる。
【０１０６】
特に、複数の原稿を複数組複写する場合であって、１組ずつ仕上げたいときであっても、ＡＤＦによる原稿の自動搬送によって一連の原稿を１回読み取らせれば良いので、原稿のリサイクル動作を省略でき、高速処理が可能となる。
【０１０７】
また、記憶させた画像データは、所期の画像形成を行わせた後でも、保存させておくことが可能であるから、長期的に保存させておいて、原稿のない状態での複写作業も可能となる。この場合、記憶回路に光磁気ディスクのような記憶装置を用いると、着脱自在なディスクに画像データを保存できるから、複数の画像を任意に必要なときに複写できることになる。また必要な画像の出力形態に合わせて画像補正処理Ｂ９２により適宜画像データの補正を行いプリントできることとなる。
【０１０８】
尚、上記実施例では、画像記憶部Ｂ２３を画像形成装置Ｃに備える構成としたが、画像記憶部Ｂ２３を画像処理部Ｂに設け、画像読取り部Ａ、画像処理部Ｂからなる画像処理系と、画像形成部Ｃとを別体に構成としても良い。
【０１０９】
また、画像処理は、上記のフィルタ処理、拡大・縮小処理、γ補正に限定されるものではない。
【０１１０】
更に、光電変換によって読み取られた画像データに基づいてリアルタイムに画像形成を行わせる場合であっても、一旦画像記憶部Ｂ２３に画像データを記憶させる構成としても良い。
【０１１１】
また、画像記憶部Ｂ２３に記憶された画像データの確認のために、画像記憶部Ｂ２３から読み出した画像を簡易な形で複写機の操作部に表示できるようにすると、長期に保存させた画像の確認や記憶データの消去作業が容易となって好ましい。
【０１１２】
ところで、画像データの圧縮処理においては、画像の種別に応じて自動的に圧縮率を可変設定する技術が知られているが、使用者によっては圧縮率をより低下させて画質を優先させたい場合や、逆に圧縮率をより大きくして記憶可能な画像数を増大させたい場合がある。
【０１１３】
そこで、前述のように、光電変換により読み取った画像データを画像処理後に圧縮処理して前記記憶回路Ｂ２６（画像データ記憶手段）に記憶させる構成における圧縮処理の圧縮率を、使用者が任意に指定できるよう構成した第２実施例を、上記第１実施例で説明した白黒ディジタル複写機の場合を例として以下に説明する。
【０１１４】
第２実施例の構成を示す図１０及び図１１のブロック図において、前述した図４及び図７と同一要素には同一符合を付して詳細な説明は省略する。
【０１１５】
前記図１０及び図１１のブロック図において、第２実施例に特徴的な構成としては、画像記憶部Ｂ２３（画像データ記憶手段）を画像処理部Ｂに設け、画像形成部Ｃに対して画像記憶部Ｂ２３に記憶させておいた画像と、読取りで得られたリアルタイムの画像とのいずれかを選択的に出力できるようにしてある。
【０１１６】
即ち、画像処理部Ｂにおいて、画像領域処理部Ｂ２１で処理された画像データが、直接的に画像記憶部Ｂ２３に出力されて記憶されるようになっており、画像形成部Ｃに対しては、画像領域処理部Ｂ２１で処理された画像データ又は画像記憶部Ｂ２３から選択的に読み出された画像データが、インターフェイスＢ２２を介しデータセレクタＢ９１と画像補正処理Ｂ９２を介して出力される。
【０１１７】
画像形成部ＣのデータセレクタＢ９１は、前記インターフェイスＢ２２を介して入力される読取りによって得られたリアルタイムの画像データと、画像記憶部Ｂ２３から選択的に読み出された画像データとのいずれか一方を選択して画像補正処理Ｂ９２を通して画像形成装置Ｂ２５に出力する。
【０１１８】
また、図１０の全体構成に示すように、制御回路が、画像読取り部Ａ及び画像処理部Ｂからなる画像処理系と、画像形成部Ｃとでそれぞれ独立して設けられ、更に、画像形成部Ｃ側に操作部Ｂ３１が付設されている。
【０１１９】
前記操作部Ｂ３１には、後述するように画像データの圧縮処理における圧縮率を指定するための操作機能が備えられており、この圧縮率指定手段としての操作部Ｂ３１を介して指定された圧縮率は、画像形成部Ｃ側を制御する本体メインＣＰＵ  Ｂ３２を介して、画像読取り部Ａ及び画像処理部Ｂからなる画像処理系を制御する画像処理系ＣＰＵ  Ｂ３３に通信ラインＢ３４を介して送られる。
【０１２０】
圧縮率可変手段としての画像処理系ＣＰＵ  Ｂ３３は、前記通信ラインＢ３４を介して送られてくるメインＣＰＵ  Ｂ３２からの圧縮率指定データに応じて、前記画像記憶部Ｂ２３に含まれる圧縮処理手段としての圧縮処理部Ｂ２７（図１１参照）における圧縮率を可変設定する。
【０１２１】
そして、設定された圧縮率に応じた圧縮処理が圧縮処理部Ｂ２７でなされ、かかる圧縮処理後の画像データが記憶回路Ｂ２６に記憶され、記憶回路Ｂ２６から読み出された画像データは、前記圧縮処理に応じて伸長処理部Ｂ２８（伸長処理手段）で伸長処理されて復元された後、画像補正処理Ｂ９２を通して画像形成装置Ｂ２５（画像形成手段）に出力される。
【０１２２】
ここで、前記操作部Ｂ３１の例を図１２に従って説明する。
【０１２３】
図１２に示す操作部Ｂ３１において、「ＣＯＭＰ」の表示がされたボタンＢ４１を押すと、液晶や小型ＣＲＴからなる表示装置４２に対して図１３に示すように５つの圧縮率モードＭｏｄｅ１〜Ｍｏｄｅ５を示す表示がなされる。
【０１２４】
尚、前記図１３に示す表示状態で、各圧縮率モードＭｏｄｅ１〜Ｍｏｄｅ５に対応する圧縮率の数値データを同時に表示させる構成としても良い。
【０１２５】
前記圧縮率モードＭｏｄｅ１〜Ｍｏｄｅ５のうち、Ｍｏｄｅ３が標準の圧縮率を指定するための標準圧縮率モードであり、Ｍｏｄｅ１，２は、圧縮率を標準よりも低下させて画質を優先させる画質優先モードで、Ｍｏｄｅ３に対してＭｏｄｅ２での圧縮率が低下し、更に、Ｍｏｄｅ２よりもＭｏｄｅ１での圧縮率が低くなる設定としてある。一方、Ｍｏｄｅ４，５は標準よりも圧縮率を大きくして記憶可能な画像数を増大させるための圧縮率優先モードで、標準モードよりもＭｏｄｅ４が、更にＭｏｄｅ４よりもＭｏｄｅ５における圧縮率が大きくなるようにしてある。
【０１２６】
前記圧縮率モードＭｏｄｅ１〜Ｍｏｄｅ５は、表示装置Ｂ４２の上部に設けられた５つのモードスイッチＢ４３〜Ｂ４７の中の対応するスイッチを操作することで選択され、画像形成動作のトリガーボタンである「Ｓｔａｒｔ  Ｐｕｓｈ」ボタンＢ４８を操作することで決定されるようにしてある。
【０１２７】
尚、上記の圧縮率モードＭｏｄｅ１〜Ｍｏｄｅ５の中のいずれかを、使用者が特に指定しない場合には、標準圧縮率モードであるＭｏｄｅ３が優先設定されるようになっている。従って、圧縮率の任意指定を行う必要性のない使用者が、電子ＲＤＨ機能を実行させる場合には、自動的に標準的な圧縮率での圧縮処理が行われて、簡易な操作性が得られる。
【０１２８】
また、初期設定されている各圧縮率モードＭｏｄｅ１〜Ｍｏｄｅ５における圧縮率データを使用者が任意に変更できるように構成されている。先ず、圧縮率を変更したいモードに対応するモードスイッチＢ４３〜Ｂ４７を押して圧縮率を変更したいモードを選択し、この状態で、テンキースイッチＢ４９を用いて圧縮率の数値データ（％）を入力する（図１４参照）。圧縮率データの変更は、「Ｓｔａｒｔ  Ｐｕｓｈ」ボタンＢ４８の操作で確定される。
【０１２９】
このとき、使用者が入力した圧縮率で圧縮処理したときに、例えばＡ４換算で何枚の画像を記憶できるかを表示させるようにすると良い。また、圧縮率の数値データを入力する代わりに、記憶枚数を指定する構成としても良い。
【０１３０】
また、圧縮率データの大小関係がモード順に従わないようなデータ入力を受け付けないようにすることが好ましい。
【０１３１】
上記第２実施例のように、画像データに圧縮処理を施して記憶させる構成において、前記圧縮処理における圧縮率を任意に指定できるようにすれば、記憶容量に余裕があり然も高い画質が要求されるようなときに、必要以上に大きな圧縮率で圧縮されてしまうことを回避して画質を確保することができ、また、記憶させたい画像に対して記憶容量が不足する惧れがあり然も高い画質が要求されない場合に、圧縮率を高めて記憶可能枚数を増大させることが任意にでき、限られた記憶容量を有効に利用して、使用者によって異なる高画質要求又は記憶枚数の増大要求に応えることができる。
【０１３２】
更に、初期設定された圧縮率モードからの選択では、使用者の要求を満足させることができない場合に、使用者が圧縮率を細かく指定して満足し得る画質が得られる圧縮率を設定できるから、使用者による画質要求レベルの僅かな違いにも対応でき、電子ＲＤＨ機能の使い勝手が良くなる。
【０１３３】
尚、圧縮率の指定を上記のような複数のモードからの指定ではなく、圧縮率の数値データを標準値を基準として変更する構成としても良い。
【０１３４】
ところで、上記のように原稿画像を光電変換によって読み取り、読み取られた画像データを記憶させる場合に、読取り画像における余白部分や画像形成時に不要となる画像部分、即ち、無効画像領域の画像データを記憶させることは、記憶容量の無駄使いとなり、引いては、記憶可能な原稿数を減少させることになってしまう。
【０１３５】
そこで、読取り画像の余白部分や画像形成時に不要となる無効画像領域を、記憶対象外として有効画像領域内の画像データのみを記憶させるようにした第３実施例を以下に説明する。
【０１３６】
第３実施例における処理回路を示す図１５のブロック図は、図４に示したブロック図に対して有効画像領域検出手段としての原稿サイズ検知部Ｂ５１が追加されている点のみが異なる。
【０１３７】
この図１５に示す処理回路構成によると、濃度変換された画像データに基づいて原稿サイズ検知部Ｂ５１が、原稿のサイズ（画像領域サイズ）を検知し、検知した原稿サイズの情報を、画像領域処理部Ｂ２１に与える。有効領域抽出手段としての画像領域処理部Ｂ２１では、読み取られた画像データの中から、原稿サイズに相当する領域内、換言すれば有効画像領域内の画像データのみを抽出して画像形成部Ｃの画像記憶部Ｂ２３（画像データ記憶手段）に画像データを出力する。
【０１３８】
従って、例えば読取りがＡ３サイズで行われるのに対し、原稿サイズとしてはＡ４である場合には、Ａ３サイズの読取り画像データからＡ４サイズの有効画像領域内の画像データのみが抽出されて画像記憶部Ｂ２３に出力され、該画像記憶部Ｂ２３において前記抽出された画像データが圧縮されて記憶されることになるから、記憶容量を節約でき、また、圧縮率を低下させて画質を向上させることも可能となる。
【０１３９】
ここで、前記画像領域処理部Ｂ２１（有効領域抽出手段）によって行われる有効画像領域の画像データの抽出は、例えば図１６のブロック図に示すような構成で行われる。
【０１４０】
図１６のブロック図において、主走査カウンタＢ５２は、水平同期信号ＨＶをクリア信号ｃｌｒとしてドットクロックｃｌｋをカウントし、また、副走査カウンタＢ５３は、垂直同期信号ＶＶをクリア信号ｃｌｒとしてドットクロックｃｌｋをカウントする。
【０１４１】
そして、比較回路Ｂ５４は、有効領域座標情報記憶部Ｂ５５に記憶されている有効画像領域を示す座標情報（規定座標データ）と、前記両カウンタＢ５２，Ｂ５３によるカウント値とを比較することで、有効画像領域内であるか否かを判別し、該判別結果を出力制御部Ｂ５６に出力する。
【０１４２】
出力制御部Ｂ５６は、γ補正処理部Ｂ２０でγ補正が施され、ラッチ回路Ｂ５７にラッチされた画像データを、有効画像領域内であるときには、そのままラッチ回路Ｂ５８を介して画像形成部Ｃ（画像記憶部Ｂ２３）に出力する一方、有効画像領域内でない（無効画像領域である）ときには、画像データを白レベル又は黒レベルに固定してラッチ回路Ｂ５８に出力する。
【０１４３】
前記有効領域座標情報記憶部Ｂ５５には、前記原稿サイズ検知部Ｂ５１で検知された原稿サイズに対応して有効画像領域を示す座標データが設定・記憶される。
【０１４４】
また、読取り画像領域内における原稿サイズに対応する領域を有効画像領域とする代わりに、複写する記録紙サイズの指定に応じて有効画像領域を決定する構成としても良く、この場合には、操作部Ｂ３１を介して指定された記録紙サイズの情報を通信ラインＢ３４を介して画像処理系ＣＰＵ  Ｂ３３に取込み、該画像処理系ＣＰＵ  Ｂ３３が記録紙サイズに基づき有効画像領域とする領域の座標を有効領域座標情報記憶部Ｂ５５に設定するようにする。
【０１４５】
即ち、例えば原稿サイズがＡ３であっても、記録紙のサイズがＡ４であれば、Ａ４サイズを越える領域の画像データは無効であるから、実際に記録されるＡ４サイズ内の画像データのみを抽出し、記録に供されない画像データが無駄に記憶されることを回避する。
【０１４６】
この場合、有効画像領域検出手段は、前記操作部Ｂ３１、画像処理系ＣＰＵ
Ｂ３３によって構成されることになる。
【０１４７】
また、原稿サイズと記録紙サイズとの両方から有効画像領域を検出する構成としても良く、更に、使用者が画像データを記憶させたい領域（有効画像領域）を任意に指定できるようにしても良い。
【０１４８】
ところで、前記記憶回路Ｂ２６を図７に示したように予めページ単位で区分構成すると、たとえ上記のように有効画像領域の画像データのみを抽出しても、記憶容量の有効利用を果たすことができない。
【０１４９】
そこで、図１７のブロック図に示す第４実施例のように、連続した記憶回路Ｂ２６を構成する一方、該記憶回路Ｂ２６における各画像の記憶領域の先頭アドレスをそれぞれに記憶するページ先頭アドレスレジスタＢ６１（記憶領域データ記憶手段）を設け、前記レジスタＢ６１に記憶されている先頭アドレスに基づいて目的とする画像に対応する記憶領域を特定し、所望の画像データの読み出しを行わせるようにすると良い。
【０１５０】
即ち、圧縮処理後の画像データを書き込み制御回路Ｂ２９（記憶制御手段）によって記憶回路Ｂ２６に書き込むときに、最初の画素の画像データが書き込まれるアドレス位置をレジスタＢ６１にスタックさせる。そして、読み出し時には、読み出し制御回路Ｂ３０（画像読み出し手段）が、前記レジスタＢ６１に記憶されている先頭アドレスを参照して画像データを読み出す。
【０１５１】
尚、前記レジスタＢ６１は、圧縮率に応じて記憶できる原稿枚数を算出し、そのページ分だけ用意すれば良い（図１８参照）。
【０１５２】
上記構成によれば、読取り画像データを連続的に記憶させることが可能であるから、画像データの記憶に供されない記憶容量を無くして記憶容量の有効利用を果たせ、少ない記憶容量で必要充分な画像記憶を実現できる。
【０１５３】
また、上記のようにして各画像の先頭アドレスをレジスタＢ６１に記憶することから、画像（ページ）の読み出し順を変えることも容易に行うことができる。
【０１５４】
本発明の両面画像形成装置では、裏面の画像を先に形成することが好ましいことから、データセレクタＢ９１内にバッファメモリとして表面出力用メモリＢ９１２と裏面出力用メモリＢ９１３とを設け、表面画像データを表面出力用メモリＢ９１２へまた裏面画像データを裏面出力用メモリＢ９１３に一旦記憶させたのち、裏面画像データから先に読み出す回路構成をとっているが、上記のデータセレクタＢ９１内のメモリを省略することもできる。即ち、操作部Ｂ３１の画像形成モード選択部Ｂ９３で、片面→両面、又は両面→両面の画像形成モードが選択されたときは原稿の片面だけの又は原稿の両面の画像データの読み取りを行って記憶回路Ｂ２６にページ順に記憶させ、読み出しに当たっては画像データの読み出しを、２ページ・１ページ、４ページ・３ページ、６ページ・５ページといった順に変えることによって両面画像が連続して形成することが可能となる。また両面／片面間での形成画像の形態も容易に変更することが可能となる。
【０１５５】
更にまた、例えばＡ４サイズの原稿をＡ３サイズに展開する場合には、所望のＡ４原稿の先頭アドレスをレジスタＢ６１から２つ呼び出して、連続して２ページ分を読み出し伸長処理するようにすれば良く、かかる画像データに基づいて画像形成装置Ｂ２５で画像形成を行わせることで、Ａ４サイズの原稿を片面に２つ並べたＡ３サイズの複写物が容易に得られることになる。
【０１５６】
ところで、上記のような両面画像形成装置においては、画像読取り部Ａ、画像処理部Ｂを介して画像形成部Ｃに入力される画像データの他に、画像形成部Ｃに対してコンピュータなどの外部装置から直接画像データを入力させて、一般的な両面画像可能としたプリンタとしてのみ機能させることができる。
【０１５７】
ここで、上記のように外部装置から画像データを入力してリアルタイムに画像形成を行わせる場合には、外部装置からの画像入力と画像形成部Ｃにおける画像形成との間でのタイミング合わせのために、バッファメモリに入力画像データを一旦記憶させることが必要となる。
【０１５８】
しかしながら、上記に説明したように、画像データを記憶・保存させておくための画像記憶部Ｂ２３（記憶回路Ｂ２６）を備える構成においては、異なる機能のために別々の記憶回路を備える構成とすることは、記憶回路の構成が複雑化し、また、記憶容量の有効利用が図れないので好ましくない。
【０１５９】
そこで、両面画像形成装置を外部装置のプリンタとして機能させるときに、前記画像記憶部Ｂ２３を、バッファメモリとして使用できるようにして、記憶回路の構成を簡略化した第５実施例を以下に説明する。
【０１６０】
第５実施例における全体処理回路を示す図１９のブロック図において、コンピュータなどの外部装置Ｂ７１からの画像データは、インターフェイスＢ７２を介して画像形成部Ｃに入力されるようになっており、画像形成部Ｃ内では、前記インターフェイスＢ７２を介して入力された画像データが、画像記憶部Ｂ２３、データセレクタＢ９１と画像補正処理Ｂ９２を介して画像形成装置Ｂ２５に出力されるようになっている。
【０１６１】
ここで、上記図１９に示す構成における画像記憶部Ｂ２３は、図２０に示すように構成されている。
【０１６２】
図２０において、圧縮処理部Ｂ２７には、画像処理部Ｂで画像処理が施された画像データがインターフェイスＢ２２を介して入力されると共に、インターフェイスＢ７２を介して外部装置Ｂ７１からの画像データが入力されるようになっている。
【０１６３】
そして、外部装置Ｂ７１からの画像データは、読取り画像データを記憶・保持させる場合と同様に、圧縮処理部Ｂ２７、記憶回路Ｂ２６、伸長処理部Ｂ２８を介してデータセレクタＢ９１に出力されるが、図２０に示す構成では、前記記憶回路Ｂ２６をバッファメモリとして使用するためにプリンタコントローラＢ７３（第２の出力制御手段）が設けられている。
【０１６４】
前記記憶回路Ｂ２６をバッファメモリとして使用して外部装置Ｂ７１から入力される画像データの形成を行わせる場合には、メインＣＰＵ  Ｂ３２（第１の出力制御手段）の制御機能によって前記圧縮処理部Ｂ２７及び伸長処理部Ｂ２８を非圧縮モードに設定し、外部装置Ｂ７１から入力した画像データを、プリンターコントローラＢ７３で書き込み制御しつつ記憶回路Ｂ２６に圧縮することなくそのまま書き込む。
【０１６５】
ここで、前記実施例と同様に、連続した記憶回路Ｂ２６を構成させ、画像記憶の先頭アドレスをレジスタＢ６１に記憶させるようにする。かかる構成とすれば、記憶回路Ｂ２６は、画像データを記憶・保持するための記憶領域と、バッファメモリとして使用される記憶領域とが共用されることになり、記憶容量の有効利用が図られる。
【０１６６】
前記プリンターコントローラＢ７３は、メインＣＰＵ  Ｂ３２と通信ラインＢ７４で接続されており、メインＣＰＵ  Ｂ３２との通信により、画像形成装置Ｂ２５における画像形成に最適なタイミングで画像転送を行うべく、外部装置Ｂ７１からの画像データの入力状態に応じてデータセレクタＢ９１の制御に先だって読み出し制御回路Ｂ３０を制御する。
【０１６７】
上記構成によると、画像記憶部Ｂ２３を用いて付設された画像読取り部Ａで読み取った画像データを記憶・保存することができる一方、外部装置Ｂ７１からの画像データに基づいてリアルタイムに画像形成を行わせるときに前記画像記憶部Ｂ２３をバッファメモリとして使用することができ、異なる機能毎に個別に画像記憶部を設ける必要がなく、構成を簡略化できる。
【０１６８】
尚、前記構成において、外部装置Ｂ７１から入力した画像データを、読取り画像データと同様にして、画像記憶部Ｂ２３に圧縮処理して記憶・保持させるようにしても良い。
【０１６９】
また、前記インターフェイスＢ７２としては、一般的なインターフェイスであるセントロニクス準拠、ＳＣＳＩなどを使用すれば良い。
【０１７０】
【発明の効果】
以上説明したように、本発明にかかる画像形成装置によると、簡易な記憶回路構成によって読取り画像データを記憶・保存することができ、読取り画像データを保存させての高速処理が容易に行え、出力形態の伴う両面画像に対しても迅速に対処できるようになる。
【０１７１】
また、画像データを圧縮処理して記憶させるときに、前記圧縮率を使用者の指定に応じて変化させることができ、高画質要求や記憶画像数の増大要求に対応して画像形成が行われるようになる。
【０１７２】
また、無効画像領域の画像データを記憶対象外として有効画像領域の画像データのみを記憶させるようにすることで、画像データを記憶させる記憶回路の記憶容量を有効利用できるようになる。
【０１７３】
更に、外部装置から入力される画像データに基づいてリアルタイムの画像形成を行わせるときに、読取り画像データを記憶させるために設けられる記憶回路をバッファメモリとして機能させることができるので、両面画像形成を可能とする複写機としての機能以外に、外部装置のプリンタとしての機能を、記憶回路を複雑化させることなく実現できる。
【０１７４】
また、記憶回路に連続的に画像データを記憶させ、各画像の記憶領域を示す先頭アドレスなどのデータを別途記憶させるようにすることで、記憶回路の記憶容量の有効利用が図られ、両面或いは片面画像形成の切り替えが容易になされるばかりでなく、例えばＡ４サイズの両面画像のＡ３サイズ片面への展開等、出力形態の変更が簡便に行えるようになるという効果がある。
【図面の簡単な説明】
【図１】本発明の画像形成装置の断面構成図。
【図２】像形成体の側断面図。
【図３】トナー像の形式状態を示す説明図。
【図４】第１実施例の回路構成を示すブロック図。
【図５】データセレクタ及び画像補正処理の回路構成を示すブロック図。
【図６】転写材上でのトナーの付着状態を示す説明図。
【図７】第１実施例における画像記録部を示すブロック図。
【図８】読取り対象となる原稿例を示す図。
【図９】写真部と文字部との区分状態を示す図。
【図１０】第２実施例の回路構成を示すブロック図。
【図１１】第２実施例における画像記憶部を示すブロック図。
【図１２】複写機における操作部の一例を示す図。
【図１３】圧縮率指定時の表示状態を示す図。
【図１４】圧縮率指定時の表示状態を示す図。
【図１５】第３実施例における回路構成を示すブロック図。
【図１６】第３実施例における画像領域処理部を示すブロック図。
【図１７】第４実施例における画像記憶部を示すブロック図。
【図１８】先頭アドレスを記憶するレジスタを示す図。
【図１９】第５実施例における回路構成を示すブロック図。
【図２０】第５実施例における画像記憶部を示すブロック図。
【符号の説明】
１０  感光体ドラム
１１  スコロトロン帯電器
１２  露光ユニット
１３  現像器
１４ａ  トナー像受像体
１４ｃ  転写器
１４ｇ  裏面転写器
１４ｈ  分離極
１５  給紙カセット
Ａ  画像読取り部
Ｂ  画像処理部
Ｃ  画像形成部
Ｂ１１  Ａ／Ｄ変換器
Ｂ１３  濃度変換部
Ｂ１４  拡大・縮小処理部
Ｂ１５  画像判別処理部
Ｂ１６  フィルタ処理部
Ｂ１９  ＥＥ処理部
Ｂ２０  γ補正処理部
Ｂ２１  画像領域処理部
Ｂ２３  画像記憶部
Ｂ２５  画像形成装置
Ｂ９１  データセレクタ
Ｂ９２  画像補正処理（部）
【図１】
0003915170.tif 000002
【図２】
0003915170.tif 000003
【図３】
0003915170.tif 000004
【図４】
0003915170.tif 000005
【図５】
0003915170.tif 000006
【図６】
0003915170.tif 000007
【図７】
0003915170.tif 000008
【図８】
0003915170.tif 000009
【図９】
0003915170.tif 000010
【図１０】
0003915170.tif 000011
【図１１】
0003915170.tif 000012
【図１２】
0003915170.tif 000013
【図１３】
0003915170.tif 000014
【図１４】
0003915170.tif 000015
【図１５】
0003915170.tif 000016
【図１６】
0003915170.tif 000017
【図１７】
0003915170.tif 000018
【図１８】
0003915170.tif 000019
【図１９】
0003915170.tif 000020
【図２０】
0003915170.tif 000021